(57)【特許請求の範囲】
【請求項１】
リーダライタによって自らのタグＩＤが指定された点灯命令を受けると、端子間のインピーダンスが高インピーダンスから低インピーダンスに切り替わる第１端子と第２端子とを有するタグＬＳＩと、
前記第１端子にアノード端子が接続されたダイオードと、
前記ダイオードのカソード端子にアノード端子が接続された発光ダイオードと、
前記発光ダイオードのカソード端子と前記第２端子との間に接続され、前記発光ダイオードを点灯させる起電力を生じさせる長さのループを形成するワイヤーと、
を有することを特徴とするＲＦＩＤタグ。
【請求項２】
前記発光ダイオードのアノード端子とカソード端子との間に並列接続されたコンデンサを有することを特徴とする請求項１に記載のＲＦＩＤタグ。
【請求項３】
前記ダイオードがショットキーダイオードであることを特徴とする請求項１に記載のＲＦＩＤタグ。
【請求項４】
前記タグＬＳＩは、
前記発光ダイオードの消灯時には、前記リーダライタの無線周波数で前記端子間のインピーダンスが高インピーダンスとなるようにし、前記リーダライタによって自らのタグＩＤが選択されると、前記リーダライタの無線周波数で前記端子間のインピーダンスが低インピーダンスになるように、前記端子間のインピーダンスを切り替えるインピーダンス切替回路を有することを特徴とする請求項１に記載のＲＦＩＤタグ。
【請求項５】
多数のＲＦＩＤタグが有する固有のタグＩＤを一度に読み取って表示すると共に、表示された多数のタグＩＤの中から選択したタグＩＤに対応するＲＦＩＤタグに対して発光ダイオードの点灯命令を出力するリーダライタと、前記リーダライタからの前記点灯命令を受けると、点灯する発光ダイオードを有するＲＦＩＤタグと、を含み、
前記ＲＦＩＤタグは、
前記リーダライタによって自らのタグＩＤが指定された点灯命令を受けると、端子間が低インピーダンスに切り替わる第１端子と第２端子とを有するタグＬＳＩと、
前記第１端子にアノード端子が接続されたダイオードと、
前記ダイオードのカソード端子にアノード端子が接続された発光ダイオードと、
前記発光ダイオードのカソード端子と前記第２端子との間に接続され、前記発光ダイオードを点灯させる起電力を生じさせる長さのループを形成するワイヤーと、
を有することを特徴とするリーダライタシステム。
【請求項６】
指定されたタグＩＤを有するＲＦＩＤタグの発光ダイオードを点灯させてＲＦＩＤタグを特定する方法であって、
リーダライタが、アクセス可能領域にある複数のＲＦＩＤタグの有するタグＩＤを読み取り、
前記リーダライタが、読み取ったタグＩＤの全てを表示し、
前記リーダライタが、表示されたタグＩＤの中から指定したタグＩＤに対応するＲＦＩＤタグに発光タイオードの点灯命令を出力し、
前記点灯命令を受けると、前記ＲＦＩＤタグは、前記発光ダイオードと前記発光ダイオードを点灯させる起電力を生じさせる長さのループを形成するワイヤーとの間のインピーダンスを低インピーダンスに切替えて前記発光ダイオードを点灯することを特徴とするＲＦＩＤタグの特定方法。
【発明の詳細な説明】
【技術分野】
【０００１】
本発明は、ＲＦＩＤタグ、リーダライタシステム及びＲＦＩＤタグの特定方法に関する。
【背景技術】
【０００２】
読取対象にＲＦＩＤ（Radio Frequency Identification）タグを取り付け、ＲＦＩＤタグを読み取るアンテナを用いて、ＲＦＩＤタグに記憶された情報を読み出したり、ＲＦＩＤタグに情報を記憶したりする技術が知られている。
【０００３】
特許文献１には、複数のＲＦＩＤタグに記憶されているデータを、所定時間間隔でＲＦＩＤリーダによって非接触で一括して読み出し、これらデータをデータ収集装置によってログファイルとして記録することにより、手持ちのＲＦＩＤリーダを用いた操作を行うことなく陳列部材に陳列されている被管理物品の存否を常時監視する技術について提案されている。
【先行技術文献】
【特許文献】
【０００４】
【特許文献１】特開２００９−１７５８９４号公報
【発明の概要】
【発明が解決しようとする課題】
【０００５】
しかし、ＲＦＩＤタグが取り付けられた読取対象の数が多くなり、読取対象がランダムに置かれた場合、リーダライタで一度に読み取ったＲＦＩＤの１つを選択して特定する事は困難であり、特定したい読取対象を探し出すのに時間がかかっていた。
【０００６】
そこで、本発明は、リーダライタで読み取ったＲＦＩＤタグの１つを容易に特定することを可能とするＲＦＩＤタグ、ＲＦＩＤリーダライタシステム及びＲＦＩＤタグの特定方法を提供することを目的とする。
【課題を解決するための手段】
【０００７】
本発明の第１の側面のＲＦＩＤタグは、リーダライタによって自らのタグＩＤが指定された点灯命令を受けると、端子間のインピーダンスが高インピーダンスからが低インピーダンスに切り替わる第１端子と第２端子とを有するタグＬＳＩと、前記第１端子にアノード端子が接続されたダイオードと、前記ダイオードのカソード端子にアノード端子が接続された発光ダイオードと、前記発光ダイオードのカソード端子と前記第２端子との間に接続され、前記発光ダイオードを点灯させる起電力を生じさせる長さのループを形成するワイヤーと、を有することを特徴とする。
【０００８】
第２の側面のリーダライタシステムは、多数のＲＦＩＤタグが有する固有のタグＩＤを一度に読み取って表示すると共に、表示された多数のタグＩＤの中から選択したタグＩＤに対応するＲＦＩＤタグに対して発光ダイオードの点灯命令を出力するリーダライタと、前記リーダライタからの前記点灯命令を受けると、点灯する発光ダイオードを有するＲＦＩＤタグと、を含み、前記ＲＦＩＤタグは、前記リーダライタによって自らのタグＩＤが指定された点灯命令を受けると、端子間が低インピーダンスに切り替わる第１端子と第２端子とを有するタグＬＳＩと、前記第１端子にアノード端子が接続されたダイオードと、前記ダイオードのカソード端子にアノード端子が接続された発光ダイオードと、前記発光ダイオードのカソード端子と前記第２端子との間に接続され、前記発光ダイオードを点灯させる起電力を生じさせる長さのループを形成するワイヤーと、を有することを特徴とする。
【０００９】
第３の側面のＲＦＩＤタグの特定方法は、指定されたタグＩＤを有するＲＦＩＤタグの発光ダイオードを点灯させてＲＦＩＤタグを特定する方法であって、リーダライタが、アクセス可能領域にある複数のＲＦＩＤタグの有するタグＩＤを読み取り、前記リーダライタが、読み取ったタグＩＤの全てを表示し、前記リーダライタが、表示されたタグＩＤの中から指定したタグＩＤに対応するＲＦＩＤタグに発光タイオードの点灯命令を出力し、前記点灯命令を受けると、前記ＲＦＩＤタグは、前記発光ダイオードと前記発光ダイオードを点灯させる起電力を生じさせる長さのループを形成するワイヤーとの間のインピーダンスを低インピーダンスに切替えて前記発光ダイオードを点灯することを特徴とする。
【発明の効果】
【００１０】
リーダライタから、読み取ったＬＥＤ付きＲＦＩＤタグの１つを指定して点灯命令を発行することにより、所望のＲＦＩＤタグを容易に特定することができる。
【図面の簡単な説明】
【００１１】
【図１】実施形態のＲＦＩＤタグ特定システムの概略を説明するシステム構成図である。
【図２】実施形態のＲＦＩＤタグが容器に取付けられているイメージを示す図である。
【図３】図１中のＲＦＩＤタグの概略を示す機能ブロック図である。
【図４】図３中のインピーダンス切替回路の動作原理を説明する図である。
【図５】図１中の制御装置のハードウェアの一構成例を示す図である。
【図６】実施形態のＲＦＩＤタグの特定方法の動作の概略を説明する図である。
【図７】ＲＦＩＤタグに記憶されたデータを読み取る処理を示すシーケンスチャートである。
【図８】ＲＦＩＤタグにデータを書き込む処理を示すシーケンスチャートである。
【図９】ＲＦＩＤタグを指定してＬＥＤを点灯させる処理を示すシーケンスチャートである。
【発明を実施するための形態】
【００１２】
以下に本発明の実施形態について図面を参照しながら詳細に説明する。
（実施形態のシステム構成）
図１は、実施形態のＲＦＩＤタグ特定システムの概略を説明するシステム構成図である。
【００１３】
本発明の実施形態のＲＦＩＤリーダライタシステムは、制御装置１と、リーダライタ１０と、ＲＦＩＤタグ２０と、を含んで構成されている。制御装置１は、ユーザが、リーダライタ１０にＲＦＩＤタグ２０へのアクセスを実行させる際に操作する装置である。
【００１４】
リーダライタ１０は、制御装置１からのＲＦＩＤタグ２０へのアクセス要求に対し、制御装置１と各種コマンドのやりとりをする。各種コマンドとしては、例えば、Selectコマンド、Readコマンド、Writeコマンド（後述）等がある。
【００１５】
その後、リーダライタ１０は、アンテナ１１に対し、電力を供給し、アンテナ１１から電波を発生させる。又、リーダライタ１０は、ＲＦＩＤタグ２０からの反射電波の受信により得られた情報を制御装置１に応答する。
【００１６】
制御装置１は、多数のＲＦＩＤタグ２０が有する固有のタグＩＤを一度に読み取って、不図示のモニタに表示すると共に、モニタ上に表示された多数のタグＩＤの中から選択したタグＩＤに対応するＲＦＩＤタグ２０に対して発光ダイオード２３の点灯命令を出力する装置である。リーダライタ１０は、アンテナ１１より電波を発生させ、タグＬＳＩ２１にアクセスする。
【００１７】
ＲＦＩＤタグ２０は、リーダライタ１０からのＬＥＤ点灯命令を受けると、点灯する発光ダイオード２３を有している。
【００１８】
ＲＦＩＤタグ２０は、リーダライタ１０によって自らのタグＩＤが指定された点灯命令を受けると、端子間が低インピーダンスに切り替わる第１端子２１ａと第２端子２１ｂとを有するタグＬＳＩ２１を有している。タグＬＳＩ２１の第１端子２１ａには、ダイオード２２のアノード端子が接続され、ダイオード２２のカソード端子には発光ダイオード２３のアノード端子が接続されている。更に、発光ダイオード２３のカソード端子と第２端子２１ｂとの間には、発光ダイオード２３を点灯させる起電力を生じさせる長さのループを形成するワイヤー２５が接続されている。図１では、ワイヤー２５は１重のループとして描かれているが、ループは１重に限定されず、起電力を大きくするために、例えば、２重ループ、３重ループ等にしても良い。
【００１９】
ここで、ダイオード２２は、例えば、ショットキーダイオードであることが好適である。ダイオード２２としてショットキーダイオードを用いると、発光ダイオード２３を点灯させる起電力を効率良く生じさせることができる。
【００２０】
発光ダイオード２３のアノード端子とカソード端子との間にコンデンサ２４を並列接続すると、発光ダイオード２３を点灯させる起電力を効率良く生じさせるのに有効である。コンデンサ２４の容量の最適値は、リーダライタ１０の無線周波数に応じて定まる。リーダライタ１０の無線周波数が９２０ＭＨｚ帯の場合、コンデンサ２４の容量は、例えば、２〜３ｐＦ程度である。
【００２１】
又、ループを形成するワイヤー２５の最適な長さは、リーダライタ１０の無線周波数に応じて定まる。リーダライタ１０の無線周波数ｆｒに対応する波長λに対して、ワイヤー２５の長さは、例えば、λ波長、λ/２波長、λ/４波長、ｎ×λ／４波長（ｎ＝１，２，３・・・の自然数）程度が考えられる。ワイヤー２５の長さを、リーダライタ１０の無線周波数の電波を受け共振を起こすことが可能な長さにすることにより、発光ダイオード２３を点灯させる起電力を効率良く生じさせることができる。
【００２２】
図２は、実施形態のＲＦＩＤタグが容器に取付けられているイメージを示す図である。
円筒形状をした容器３１の円周上に、ワイヤー２５が巻き付けられている。ワイヤー２５の繋ぎ目部分に、タグＬＳＩ２１、ダイオード２２、発光ダイオード２３が直列接続されている。タグＬＳＩ２１には、タグアンテナ４１が取付けられている。更に、発光ダイオード２３のアノードとカソード間にはコンデンサー２４が並列接続されている。
【００２３】
ワイヤー２５は、不図示のアンテナ１１から発生される電波から発光ダイオード２３を点灯させる起電力を生じさせる。発光ダイオード２３は、ワイヤー２５により生じた起電力を受け、タグＬＳＩ２１が低インピーダンスとなってオン状態であることで、点灯する。
【００２４】
（実施形態のＬＥＤ付きＲＦＩＤタグの構成）
図３は、図１中のＲＦＩＤタグの概略を示す機能ブロック図である。
【００２５】
タグＬＳＩ２１は、ＲＦＩＤタグ２０の主要部であり、リーダライタ１０のアンテナ１１が発生する電波を受信するタグアンテナ４１と、受信した電波の波高値を制限して出力する電圧リミット回路４２と、電圧リミット回路４２の出力から電力を取り出して他の回路に供給する整流回路４３とを有している。
【００２６】
この整流回路４３から、変調回路４４、復調回路４５、メモリ４６、制御回路４７、及びインピーダンス切替回路４８に電力が供給される。変調回路４４は、受信波に対する反射波に対して変調をかける回路である。復調回路４５は、受信した電波から変調成分を抽出して、リーダライタ１０からのデータ、例えば、コマンドを再生する回路である。
【００２７】
メモリ４６は、データを記憶する装置であり、固有のタグＩＤ等を記憶する。制御回路４７は、タグＬＳＩ２１の全体を制御する回路であり、特に、リーダライタ１０によって自らのタグＩＤが選択されると、インピーダンス切替回路４８に対して、第１端子２１ａと第２端子２１ｂとの間のインピーダンスを高インピーダンスから低インピーダンスに切り替える指示を出力する。
【００２８】
インピーダンス切替回路４８は、制御回路４７からの指示に従って第１端子２１ａと第２端子２１ｂとの間のインピーダンスを高インピーダンスから低インピーダンスに切り替える回路である。第１端子２１ａと第２端子２１ｂとの間のインピーダンスを高インピーダンスから低インピーダンスに切り替える方法の一例として、第１端子２１ａと第２端子２１ｂとの間のインピーダンスの共振周波数をリーダライタ１０の無線周波数と一致させる方法がある。
【００２９】
図４は、図３中のインピーダンス切替回路の動作原理を説明する図である。図４によれば、消灯時には、第１端子２１ａと第２端子２１ｂとの間のインピーダンス（Ｓ１１）の共振周波数ｆＲ（例えば、５００ＭＨｚ）は、リーダライタ１０の無線周波数ｆ（例えば、９２０ＭＨｚ）からずれているので、第１端子２１ａと第２端子２１ｂとの間のインピーダンスは、上記共振周波数ｆＲに対して低インピーダンスだが、リーダライタ１０の無線周波数ｆに対しては高インピーダンスとなっている。
【００３０】
これに対して、ＬＥＤ点灯時には、第１端子２１ａと第２端子２１ｂとの間のインピーダンスの共振周波数ｆＲ（例えば、９２０ＭＨｚ）は、リーダライタ１０の無線周波数ｆ（例えば、９２０ＭＨｚ）と一致しているので、第１端子２１ａと第２端子２１ｂとの間のインピーダンスは、リーダライタ１０の無線周波数ｆに対して低インピーダンスとなることが分る。インピーダンス切替回路４８は、リーダライタ１０によって自らのタグＩＤが指定された点灯命令を受けた場合に、制御回路４７からの指示に従って第１端子２１ａと第２端子２１ｂとの間を短絡する回路としても良い。
【００３１】
制御装置１は、ユーザが、ＬＥＤ付きＲＦＩＤタグ２０へのアクセスを実行させる際にリーダライタ１０との間でコマンドのやりとりを行う装置である。
【００３２】
図５は、図１中の制御装置のハードウェアの一構成例を示す図である。
制御装置１は、ＣＰＵ（Central Processing Unit）２によって装置全体が制御されている。ＣＰＵ２には、バス９を介してＲＡＭ（Random Access Memory）３と複数の周辺機器が接続されている。
【００３３】
ＲＡＭ３は、制御装置１の主記憶装置として使用される。ＲＡＭ３には、ＣＰＵ２に実行させるＯＳ（Operating System）のプログラムやアプリケーションプログラムの少なくとも一部が一時的に格納される。また、ＲＡＭ３には、ＣＰＵ２による処理に使用する各種データが格納される。
【００３４】
バス９に接続されている周辺機器としては、ハードディスクドライブ（Hard Disk Drive）４、グラフィック処理装置５、入力インタフェース６、ドライブ装置７、および通信インタフェース６がある。
【００３５】
ハードディスクドライブ４は、内蔵したディスクに対して、磁気的にデータの書き込みおよび読み出しを行う。ハードディスクドライブ４は、制御装置１の二次記憶装置として使用される。ハードディスクドライブ４には、ＯＳのプログラム、アプリケーションプログラム、および各種データが格納される。なお、二次記憶装置としては、フラッシュメモリ等の半導体記憶装置を使用することもできる。
【００３６】
グラフィック処理装置５には、モニタ５ａが接続されている。グラフィック処理装置５は、ＣＰＵ２からの命令に従って、画像をモニタ５ａの画面に表示させる。モニタ５ａとしては、ＣＲＴ（Cathode Ray Tube）や液晶表示装置等が挙げられる。
【００３７】
入力インタフェース６は、キーボード６ａとマウス６ｂとが接続されている。入力インタフェース６は、キーボード６ａやマウス６ｂから送られてくる信号をＣＰＵ２に送信する。なお、マウス６ｂは、ポインティングデバイスの一例であり、他のポインティングデバイスを使用することもできる。他のポインティングデバイスとしては、タッチパネル、タブレット、タッチパッド、トラックボール等が挙げられる。
【００３８】
ドライブ装置７は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置７が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ（Digital Versatile Disc Random Access Memory）、ＣＤ−ＲＯＭ（Compact Disc Read Only Memory）、ＣＤ−Ｒ（Compact Disc Recordable）／ＲＷ（ReWritable）等が挙げられる。
【００３９】
通信インタフェース８は、ネットワーク６０に接続されている。通信インタフェース８は、ネットワーク６０を介して、他のコンピュータまたは通信機器との間でデータの送受信を行う。
【００４０】
（実施形態の動作）
図６は、実施形態のＲＦＩＤタグの特定方法の動作の概略を説明する図である。
【００４１】
図６（ａ）には、全体サーチ指示の際の制御装置１に接続されたモニタ５ａに表示されたアプリケーション画面例が示されている。モニタ５ａのアプリケーション画面において、タグスキャンが選択され、全体サーチの指示がされる。
【００４２】
図６（ｂ）には、容器トレイ３０に３０個の容器３１が収納された外観図が示されている。各容器３１には、固有のタグＩＤを有するＲＦＩＤタグ２０が取り付けられている。
【００４３】
図６（ｃ）には、ＬＥＤ点灯指示の際の制御装置１に接続されたモニタ５ａに表示されたアプリケーション画面例が示されている。モニタ５ａのアプリケーション画面には、スキャン結果の一覧が表示されている。スキャン結果の一覧は、名称、行先、タグＩＤが表示されている。スキャン結果の一覧は、例えば、「名称：Ａ、行先：鹿児島、タグＩＤ：123456000005」、「名称：Ｂ、行先：東京、タグＩＤ：123456000002」と表示されている。この表示は、名称Ａで行先が鹿児島の容器３１のタグＩＤは「123456000005」であり、名称Ｂで行先が東京の容器３１のタグＩＤは「123456000002」であることを示している。
【００４４】
又、スキャン結果の一覧は、例えば、「名称：Ｃ、行先：東京、タグＩＤ：123456000121」、「名称：Ｃ、行先：静岡、タグＩＤ：123456000122」、「名称：Ｃ、行先：北海道、タグＩＤ：123456000123」と表示されている。この表示は、名称Ｃで行先東京の容器３１のタグＩＤは「123456000121」であり、名称Ｃで行先静岡の容器３１のタグＩＤは「123456000122」であり、名称Ｃで行先北海道の容器３１のタグＩＤは「123456000123」であることを示している。
【００４５】
更に、スキャン結果の一覧は、例えば、「名称：Ｇ、行先：新潟、タグＩＤ：123456000701」、「名称：Ｈ、行先：福島、タグＩＤ：123456000451」、「名称：Ｈ、行先：佐賀、タグＩＤ：123456000327」、「名称：Ｉ、行先：東京、タグＩＤ：123456000284」と表示されている。この表示の内の「名称：Ｇ、行先：新潟、タグＩＤ：123456000701」が表示された行が選択されている。
【００４６】
モニタ５ａのアプリケーション画面で、図６（ｃ）に示されたように、例えば、「名称：Ｇ、行先：新潟、タグＩＤ：123456000701」が表示された行が選択されると、選択されたタグＩＤ：「123456000701」が記憶されたＲＦＩＤタグ２０の有する発光ダイオード２３のみが、図６（ｄ）に示されたように点灯する。これにより、リーダライタ１０からタグＩＤを指定してＬＥＤ点灯命令をすることにより、指定したタグＩＤが取り付けられた容器３１を容易に特定することができる。
【００４７】
次に、制御装置１のリーダライタ１０の制御方法を説明する。
図７は、ＲＦＩＤタグに記憶されたデータを読み取る処理を示すシーケンスチャートである。
【００４８】
［シーケンスＳｅｑ１］  リーダライタ１０は、読み取り対象のタグＩＤを識別するSelectコマンドをＲＦＩＤタグ２０に発行する。
【００４９】
［シーケンスＳｅｑ２］  ＲＦＩＤタグ２０は、Selectコマンドに対し、Selectコマンド応答をリーダライタ１０に応答する。
【００５０】
［シーケンスＳｅｑ３］  リーダライタ１０は、ＩＤ取得コマンドをＲＦＩＤタグ２０に発行する。
【００５１】
［シーケンスＳｅｑ４］  ＲＦＩＤタグ２０は、ＩＤ取得コマンド応答をリーダライタ１０に応答する。
【００５２】
［シーケンスＳｅｑ５］  リーダライタ１０は、タグSelectコマンドをＲＦＩＤタグ２０に発行する。
【００５３】
［シーケンスＳｅｑ６］  ＲＦＩＤタグ２０は、タグSelectコマンドに応じたＲＦＩＤタグ２０の識別情報をSelectコマンド応答としてリーダライタ１０に応答する。
【００５４】
［シーケンスＳｅｑ７］  リーダライタ１０は、シーケンスＳｅｑ５にて指定したＲＦＩＤタグ２０のＨａｎｄｌｅを指定するＧｅｔハンドマンドをＲＦＩＤタグ２０に発行する。
【００５５】
［シーケンスＳｅｑ８］  ＲＦＩＤタグ２０は、Ｇｅｔハンドコマンドに応じて、シーケンスＳｅｑ５にて指定したＲＦＩＤタグ２０にＨａｎｄｌｅを特定する。そして、特定したＨａｎｄｌｅをリーダライタ１０に応答する。ここで、Ｈａｎｄｌｅは、例えば１６ビットのランダムなコードである。Ｈａｎｄｌｅが特定されたＲＦＩＤタグ２０は、以降は、このＨａｎｄｌｅによって一意に識別される。
【００５６】
［シーケンスＳｅｑ９］  リーダライタ１０は、特定したＨａｎｄｌｅのＲＦＩＤタグ２０内の情報の読み出しを要求するＲｅａｄコマンドを発行すると、アンテナ１１から読み取りエリアにＲｅａｄコマンドをＲＦＩＤタグ２０に発行する。
【００５７】
［シーケンスＳｅｑ１０］  ＲＦＩＤタグ２０は、Ｒｅａｄコマンドに応じてＲＦＩＤタグ２０内の情報の読み出しＲｅａｄコマンド応答をリーダライタ１０に応答する。
【００５８】
図８は、ＲＦＩＤタグにデータを書き込む処理を示すシーケンスチャートである。
［シーケンスＳｅｑ１１］  リーダライタ１０は、書き込み対象のタグＩＤを識別するSelectコマンドをＲＦＩＤタグ２０に発行する。
【００５９】
［シーケンスＳｅｑ１２］  ＲＦＩＤタグ２０は、Selectコマンドに対し、Selectコマンド応答をリーダライタ１０に応答する。
【００６０】
［シーケンスＳｅｑ１３］  リーダライタ１０は、ＩＤ取得コマンドをＲＦＩＤタグ２０に発行する。
【００６１】
［シーケンスＳｅｑ１４］  ＲＦＩＤタグ２０は、ＩＤ取得コマンド応答をリーダライタ１０に応答する。
【００６２】
［シーケンスＳｅｑ１５］  リーダライタ１０は、シーケンスＳｅｑ１４にて受け取ったＲＦＩＤタグ２０の識別情報から書き込み対象のＲＦＩＤタグ２０の識別情報を指定するタグSelectコマンドをＲＦＩＤタグ２０に発行する。
【００６３】
［シーケンスＳｅｑ１６］  ＲＦＩＤタグ２０は、Selectコマンドに応じたＲＦＩＤタグ２０の識別情報をSelectコマンド応答としてリーダライタ１０に応答する。
【００６４】
［シーケンスＳｅｑ１７］  リーダライタ１０は、シーケンスＳｅｑ１５にて指定したＲＦＩＤタグ２０のＨａｎｄｌｅを指定するＧｅｔハンドルコマンドをＲＦＩＤタグ２０に発行する。
【００６５】
［シーケンスＳｅｑ１８］  ＲＦＩＤタグ２０は、Ｇｅｔハンドルコマンドに応じて、シーケンスＳｅｑ１５にて指定したＲＦＩＤタグ２０にＨａｎｄｌｅを特定する。そして、特定したＨａｎｄｌｅをリーダライタ１０に応答する。
【００６６】
［シーケンスＳｅｑ１９］  リーダライタ１０は、ＷｒｉｔｅコマンドをＲＦＩＤタグ２０に発行する。
【００６７】
［シーケンスＳｅｑ２０］  ＲＦＩＤタグ２０は、Ｗｒｉｔｅコマンドに応じてＲＦＩＤタグ２０内に情報の書き込みを実行する。そして、ＲＦＩＤタグ２０内への情報の書き込みが終了すると、Ｗｒｉｔｅコマンド応答をリーダライタ１０に応答する。
【００６８】
図９は、ＲＦＩＤタグを指定してＬＥＤを点灯させる処理を示すシーケンスチャートである。
【００６９】
［シーケンスＳｅｑ２１］  リーダライタ１０は、ＬＥＤ点灯対象のＲＦＩＤタグ２０のタグＩＤを識別するSelectコマンドをＲＦＩＤタグ２０に発行する。
【００７０】
［シーケンスＳｅｑ２２］  ＲＦＩＤタグ２０は、Selectコマンドに対し、Selectコマンド応答をリーダライタ１０に応答する。
【００７１】
［シーケンスＳｅｑ２３］  リーダライタ１０は、ＩＤ取得コマンドをＲＦＩＤタグ２０に発行する。
【００７２】
［シーケンスＳｅｑ２４］  ＲＦＩＤタグ２０は、ＩＤ取得コマンドに対し、読み取った全てのＲＦＩＤタグ２０の識別情報をＩＤ取得コマンド応答としてリーダライタ１０に応答する。
【００７３】
［シーケンスＳｅｑ２５］  リーダライタ１０は、シーケンスＳｅｑ２４にて受け取ったＲＦＩＤタグ２０の識別情報からＬＥＤ点灯対象のＲＦＩＤタグ２０の識別情報を指定するタグSelectコマンドをＲＦＩＤタグ２０に発行する。
【００７４】
［シーケンスＳｅｑ２６］  ＲＦＩＤタグ２０は、Selectコマンドに応じたＲＦＩＤタグ２０の識別情報をSelectコマンド応答としてリーダライタ１０に応答する。
【００７５】
［シーケンスＳｅｑ２７］  リーダライタ１０は、シーケンスＳｅｑ２５にて指定したＲＦＩＤタグ２０のＨａｎｄｌｅを指定するＧｅｔハンドルコマンドをＲＦＩＤタグ２０に発行する。
【００７６】
［シーケンスＳｅｑ２８］  ＲＦＩＤタグ２０は、Ｇｅｔハンドルコマンドに応じて、シーケンスＳｅｑ２５にて指定したＲＦＩＤタグ２０にＨａｎｄｌｅを特定する。そして、特定したＨａｎｄｌｅをリーダライタ１０に応答する。
【００７７】
［シーケンスＳｅｑ２９］  リーダライタ１０は、特定したＨａｎｄｌｅのＲＦＩＤタグ２０内のＬＥＤ点灯を要求するＬＥＤ点灯コマンドをＲＦＩＤタグ２０に発行する。
【００７８】
［シーケンスＳｅｑ３０］  ＲＦＩＤタグ２０は、ＬＥＤ点灯コマンドに応じたＲＦＩＤタグ２０の発光ダイオード２３を点灯させ、ＬＥＤ点灯コマンド応答をリーダライタ１０に応答する。
【００７９】
以上述べたように、リーダライタ１０とＲＦＩＤタグ２０との間でやりとりするコマンドに、シーケンスＳｅｑ２９のＬＥＤ点灯コマンドと、シーケンスＳｅｑ３０のＬＥＤ点灯コマンド応答が追加されている。
【００８０】
（実施形態の効果）
本発明の実施形態のＲＦＩＤタグ、ＲＦＩＤリーダライタシステム及びＲＦＩＤタグの特定方法によれば、以下の（ａ）〜（ｃ）のような効果がある。
【００８１】
（ａ）本発明の実施形態のＲＦＩＤタグは、現状のタグＬＳＩに、ダイオードと、発光ダイオードと、ループを形成するワイヤーとを追加するだけなので、低コストでＲＦＩＤタグを実現可能である。
【００８２】
（ｂ）本発明の実施形態のリーダライタシステムは、多数のＲＦＩＤタグが有する固有のタグＩＤを一度に読み取って表示すると共に、表示された多数のタグＩＤの中から指定して点灯命令を出力するリーダライタを有している。リーダライタからタグＩＤを指定して点灯命令を出力することにより、指定したタグＩＤを有するＲＦＩＤタグを容易に特定することができる。
【００８３】
（ｃ）本発明の実施形態のＲＦＩＤタグの特定方法は、リーダライタが、読み取ったタグＩＤの全てを表示し、表示されたタグＩＤの中から指定したタグＩＤに対応するＲＦＩＤタグに発光タイオードの点灯命令を出力する。これに対し、点灯命令を受けたＲＦＩＤタグは、発光ダイオードと発光ダイオードを点灯させる起電力を生じさせる長さのループを形成するワイヤーとの間のインピーダンスを高インピーダンスから低インピーダンスに切替えて発光ダイオードを点灯する。これにより、リーダライタからタグＩＤを指定してＲＦＩＤタグを特定することができる。
【００８４】
本発明は、上述した実施形態に限定されるものではなく、本発明の要旨を逸脱しない範囲内で種々の構成又は実施形態を取ることができる。
【符号の説明】
【００８５】
１                                        制御装置
５ａ                                        モニタ
６ａ                                        キーボード
６ｂ                                        マウス
１０                                        リーダライタ
１１                                        アンテナ
２０                                        ＲＦＩＤタグ
２１                                        タグＬＳＩ
２１ａ                                      第１端子
２１ｂ                                      第２端子
２２                                        ダイオード
２３                                        発光ダイオード
２４                                        コンデンサ
２５                                        ワイヤー
３０                                        容器トレイ
３１                                        容器
４１                                        タグアンテナ
４２                                        電圧リミット回路
４３                                        整流回路
４４                                        変調回路
４５                                        復調回路
４６                                        メモリ
４７                                        制御回路
４８                                        インピーダンス切替回路
【図１】
0006581919.tif 000002
【図２】
0006581919.tif 000003
【図３】
0006581919.tif 000004
【図４】
0006581919.tif 000005
【図５】
0006581919.tif 000006
【図６】
0006581919.tif 000007
【図７】
0006581919.tif 000008
【図８】
0006581919.tif 000009
【図９】
0006581919.tif 000010